(57)【要約】【課題】浴室ユニットの天井裏に設置した機器からのドレンを排水する排水管に容易に水勾配を設けることができる浴室ユニットの天井裏設置機器からの排水構造を提供する。【解決手段】床パン１、浴槽２、壁パネル３、天井パネル４にて浴室ユニットＵを形成する。天井パネル４に開口部４０を形成し、天井パネル４上に開口部４０を囲むように略矩形状をした支持枠５を固定し、支持枠５の一対の対向する枠材５０に沿って補強材６を天井パネル４上に固定する。ミストを吐出する機器７を開口部４０を介して浴室内に臨むように支持枠５に固定する。補強材６の長手方向の一端部の下端部に、機器７の排水管７３をガイドするガイド部材８の長手方向の一端部が枢支してあり、ガイド部材８の他端部には固着孔８０が形成してある。ガイド部材８に排水管７３を固定して任意の勾配に傾斜させて固着孔８０に対応する補強材６の部位に固着孔８０を穿設し固着具８２で固定する。【選択図】        図１
2009203649.tif 000002
【特許請求の範囲】
【請求項１】
建物躯体の浴室スペースの床面に床パンを設置して該床パンに浴槽を設置し、床パンの周端縁から壁パネルを立設し、該壁パネルの上端部に天井パネルを設置した浴室ユニットの天井裏設置機器からの排水構造であって、天井パネルに浴室内外を連通する開口部を形成し、天井パネル上に前記開口部を囲むように略矩形状をした支持枠を固定し、支持枠の一対の対向する枠材に沿ってそれぞれ該枠材の長手方向に向けて天井パネルの略全長に亘って伸びる補強材を天井パネル上に固定し、浴室内にミストを吐出する機能を備えた機器を該機器のミスト吐出口が開口部を介して浴室内に臨むように支持枠に固定し、補強材の長手方向の一端部の下端部には、機器に接続される可撓性を有する排水管をガイドするガイド部材の長手方向の一端部が枢支してあり、ガイド部材の長手方向の他端部には固着孔が形成してあり、ガイド部材に排水管を固定し、ガイド部材を任意の勾配に傾斜させた状態で補強材のガイド部材の固着孔に対応する位置に固着孔を穿設して両固着孔にネジからなる固着具を固着して固定することを特徴とする浴室ユニットの天井裏設置機器からの排水構造。
【発明の詳細な説明】
【技術分野】
【０００１】
本発明は、浴室ユニットの天井パネル上に設置した機器からの排水構造に関するものである。
【背景技術】
【０００２】
従来より、浴室ユニットの天井パネル上にミストを吐出する機器がよく設けられる（例えば特許文献１参照）。浴室ユニットは、浴室スペースに床パンを設置して該床パンに浴槽を設置し、床パンの周端縁から壁パネルを立設し、壁パネルの上端部に天井パネルを設置して形成される。
【０００３】
ミストを吐出する機器は、機器の本体を浴室内に設置するものと浴室外に設置するものがあるが、浴室内に設置スペースを取らないという点で浴室外に設置するものの方が優れている。このため、天井パネルに開口部を形成し、この開口部を介して浴室内にミストを吐出可能なように機器を天井パネル上に設置している。
【０００４】
ミストを吐出する機器は、運転時にドレンが発生するため、機器に可撓性を有する排水管を接続し、該排水管を天井裏（天井パネル上）に這わせると共に壁パネルの外側を下方に伸ばし、床パンの排水口近傍に至らせて該排水口から排水するようにしている。
【特許文献１】特開２００３−６５５５４号公報
【発明の開示】
【発明が解決しようとする課題】
【０００５】
排水管は、天井パネル上を這わせる際、適当な水勾配を設ける必要がある。
【０００６】
また、機器を天井パネル上に設置するにあたり、機器は重量が大きいため、天井パネルの開口部に機器の全重量が掛かると天井パネルが撓む惧れがある。そこで、天井パネル上に開口部を囲むように略矩形状をした支持枠を固定すると共に、支持枠一対の対向する枠材に沿って天井パネルの略全長に亘って伸びる補強材を天井パネル上に固定し、支持枠に機器を固定する方法が採られている。
【０００７】
この場合、補強材は天井パネル上を機器から該天井パネルの側端部まで伸びており、この補強材を利用して、天井パネル上に這わせる排水管に水勾配を設けることが考えられるものであった。
【０００８】
本発明は上記従来の問題点に鑑みて発明したものであって、その目的とするところは、浴室ユニットの天井裏に設置した機器からのドレンを排水する排水管に容易に水勾配を設けることができる浴室ユニットの天井裏設置機器からの排水構造を提供することを課題とするものである。
【課題を解決するための手段】
【０００９】
上記課題を解決するために請求項１に係る発明は、建物躯体の浴室スペースの床面に床パン１を設置して該床パン１に浴槽２を設置し、床パン１の周端縁から壁パネル３を立設し、該壁パネル３の上端部に天井パネル４を設置した浴室ユニットＵの天井裏設置機器からの排水構造であって、天井パネル４に浴室内外を連通する開口部４０を形成し、天井パネル４上に前記開口部４０を囲むように略矩形状をした支持枠５を固定し、支持枠５の一対の対向する枠材５０に沿ってそれぞれ該枠材５０の長手方向に向けて天井パネル４の略全長に亘って伸びる補強材６を天井パネル４上に固定し、浴室内にミストを吐出する機能を備えた機器７を該機器７のミスト吐出口が開口部４０を介して浴室内に臨むように支持枠５に固定し、補強材６の長手方向の一端部の下端部には、機器７に接続される可撓性を有する排水管７１をガイドするガイド部材８の長手方向の一端部が枢支してあり、ガイド部材８の長手方向の他端部には固着孔８２が形成してあり、ガイド部材８に排水管７１を固定し、ガイド部材８を任意の勾配に傾斜させた状態で補強材６のガイド部材８の固着孔８２に対応する位置に固着孔８２を穿設して両固着孔８２にネジからなる固着具８２を固着して固定することを特徴とするものである。
【００１０】
このような構成とすることで、機器７を天井パネル４上に設置するにあたり、天井パネル４の略全長に亘って固定した補強材６を利用して、天井パネル４上に這わせる排水管７１に容易に任意の水勾配を設けることが可能となる。
【発明の効果】
【００１１】
本発明にあっては、機器を天井パネル上に設置するにあたり、天井パネルの略全長に亘って固定した補強材にガイド部材を設けることで、該補強材を利用して任意の勾配を容易に設けることが可能となって、排水管に容易に任意の水勾配を設けることができ、充分な勾配が得られなかったり逆勾配となって排水不良による異常停止を防止することができる。
【発明を実施するための最良の形態】
【００１２】
以下、本発明について添付図面に基づいて説明する。
【００１３】
建物躯体の浴室スペースの床面上に床パン１を設置し、床パン１の周端縁から上方に壁パネル３を立設し、壁パネル３の上端部に天井パネル４を載設して浴室ユニットＵが形成してあり、内部が浴室となる。床パン１は、浴槽設置部１１と洗い場部１２とを備えており、浴槽設置部１１と洗い場部１２とは、それぞれ別の床パン１で構成したり、あるいは同一の床パン１の一部を浴槽設置部１１とすると共に残りの部分を洗い場部１２としてもよい。そして、浴槽設置部１１に浴槽２３を設置すると共に、浴槽２３の洗い場側の上端部のフランジ部２１から、浴槽設置部１１と洗い場部１２との境界部分にかけてエプロン２２を着脱自在に設置している。浴槽設置部１１と洗い場部１２とが別の床パン１である場合には、エプロン２２は、浴槽２３の洗い場側のフランジ部２１と、浴槽設置部１１の洗い場側の端縁との間の上下間の全長に亘ってエプロン２２を設置するものである。
【００１４】
上記浴室ユニットＵには、浴室内にミストを吐出する機能を備えた機器７を設けるもので、天井パネル４に開口部４０を形成して、この開口部４０を介して浴室内にミストを吐出可能なように機器７を天井裏（天井パネル４上）に設置するが、これについては後で詳述する。ミストを吐出する機能を備えた機器７としては、換気乾燥機能を備えた浴室暖房機にミスト吐出機能を備えたミストサウナ機能付浴室暖房換気乾燥機が一般的によく用いられるが、特に限定されない。この機器７は、図示はしないが、浴室ユニットＵ１外に設置した給湯機能付き熱源機等の熱源からの温水経路が接続されると共に、水道に接続される給水管と、ドレンを排水する排水部とが設けられる。また機器７は、浴室内の空気を吸入すると共に再び吐出する循環路が形成してあり、この循環路内に、前記熱源機から温水経路を介して供給される温水にて循環路内を流れる空気を加熱する熱交換器が設置してある。また循環路は、循環路内を流れる空気を乾燥させる乾燥機能を備えると共に、循環路内に吸入した空気を外部に排気する排気手段を備えている。
【００１５】
また機器７には、給水管を介して供給される温水をミスト吐出口としてのミストノズルに導くミスト配管が設けてあり、このミスト配管の途中に、前記熱源機から温水経路を介して供給される温水にてミスト配管を流れる水を加熱する熱交換器が設置してある。ミストノズルは、浴室内に向けて温水をミストとして吐出するものである。
【００１６】
そして、機器７から浴室内に暖気を吐出して暖房を行なったり、あるいは浴室内の空気を排出して浴室外に排気することで換気を行ったり、あるいは浴室内の空気を吸入して除湿を行うと共に再び浴室内に吐出して乾燥を行ったり、あるいは、浴室内にミストを吐出してミストサウナを行なったりすることができる。
【００１７】
機器７の排水部には、浴室外、すなわち天井パネル４上と壁パネル３の外側を通って、壁パネル３の貫通口３１に至る排水管７１が接続される。この排水管７１は、本実施形態では例えば架橋ポリエチレン管等からなる可撓性を有するものである。壁パネル３の浴槽２３が近接して設置される部分であって、浴槽２３のフランジ部２１よりも下方の部分に貫通口３１が形成してある。本実施形態では、浴槽設置部１１の洗い場側から見て左右の壁パネル３の一方に貫通口３１を形成してあり、壁パネル３の貫通口３１の端縁には壁貫通金具が設けてある。貫通口３１（壁貫通金具）から浴室ユニットＵ内のエプロン２２よりも浴槽２３側の空間を通る例えば架橋ポリエチレン管等からなる可撓性を有する排水管７２が設けてある。排水管７２の下端部６１には整流器が取り付けてあり、この整流器から床パン１の浴槽設置部１１の排水口（図示せず）にドレンを排水している。
【００１８】
以下、ミストを吐出する機器７の天井裏への設置について説明する。
【００１９】
天井パネル４上には、開口部４０を囲むように略矩形状をした支持枠５を固定する。支持枠５は、例えばＣチャンネル鋼材等からなる枠材５０を平面視略矩形状に組み上げて天井パネル４に接着やボルト締め等により固定するが、特に限定されない。そして、支持枠５の一対の対向する枠材５０に沿ってそれぞれ、枠材５０の長手方向に向けて天井パネル４の略全長に亘って伸びる補強材６を天井パネル４上に固定する。補強材６は、例えばＬアングル鋼材等を天井パネル４の略全長に亘って天井パネル４に接着やボルト締め等により固定するが、特に限定されない。
【００２０】
機器７は、平面視において天井パネル４の開口部４０と略同じ形状をした本体箱部７０ａの下端から外方に下フランジ（図示せず）を連設してなるケーシング７０を備え、ケーシング７０内に各種部品を収納していて、重量が２０ｋｇ程度と重いものである。この機器７は、天井パネル４の開口部４０に下方より本体箱部７０ａを挿入して下フランジを開口部４０周辺に当接させて、ケーシング７０を支持枠５にボルト（及びナット）等により固定し、支持枠５とケーシング７０とで天井パネル４を挟み込む状態で取り付ける。これにより、機器７のケーシング７０下面に設けたミストノズル（ミスト吐出口）を開口部４０を介して浴室内に臨むように配置することができ、また、重い機器７の重量が天井パネル４の開口部４０周辺に集中的に掛からないように分散して、天井パネル４が撓むのを防止することができる。
【００２１】
補強材６には、ガイド部材８を設けるものである。ガイド部材８は、機器７からの排水管７１をガイドするもので、本実施形態では上方に開口する断面略コ字状や略Ｕ字状をしたものである。ガイド部材８は、その長手方向の一端部の側面を、補強材６の長手方向の一端部（排水管７１を下方に伸ばす壁パネル３側の端部）の下端部の側面にピン等により枢支して、ガイド部材８の長手方向の他端部側が回動自在となるように設けてある。具体的には、ガイド部材８は、その長手方向の一端部の側面の下端縁から下方に連設される連設片８０にピン孔８１を形成し、補強材６の長手方向の一端部の側面にピン孔（図示せず）を形成し、両ピン孔にピン８１ａを挿通させて枢支している。また、ガイド部材８の長手方向の他端部には固着孔８２を形成するもので、本実施形態ではガイド部材８の側面の下端縁から下方に連設される連設片８３に固着孔８２を形成している。ガイド部材８の長さは、天井パネル４の端部から機器７までの長さと略同様に形成してあり、機器７の排水部から天井パネル４の端部まで這う排水管７１の略全長をガイド及び支持することができる。排水管７１のガイド部材８への固定は、インシュロック等のバンド７１を用いると容易に行えて好ましいが、特に限定されない。そして、ガイド部材８を任意の勾配に傾斜させることで、排水管７１に水勾配を容易に設けることが可能となる。ガイド部材８を任意の勾配に傾斜させて固定するには、ガイド部材８を所望の角度に傾斜させた状態で、補強材６のガイド部材８の固着孔８２に対応する位置に固着孔を現場施工にて穿設し、ガイド部材８の固着孔８２と補強材６の固着孔とにネジからなる固着具８４を挿通して固着することで行う。
【００２２】
以上のような構成により、機器７を天井パネル４上に設置するために設けた天井パネル４の略全長に亘る補強材６を利用して、天井パネル４上に這わせる排水管７１に容易に任意の水勾配を設けることが可能となり、充分な勾配が得られなかったり逆勾配となったりして、排水不良を引き起こして、機器７の運転が異常停止するのを防止することができる。
【００２３】
また、本発明のように支持枠５及び補強材６により機器７の荷重を支持することで、従来よく採られた天吊り施工（すなわち、建物躯体に梁材を架設して梁材から吊下げ部材により機器７を吊下げる施工方法）を採ることにより、機器７の施工者と浴室ユニットＵの施工者の施工に合わせて施工することなく、ミストを吐出する機器７の施工者が容易に排水管７１を任意の水勾配で設けることが可能となり、施工性が向上する。
【図面の簡単な説明】
【００２４】
【図１】本発明の一実施形態の要部側面図である。
【図２】同上の浴室の一部切欠した斜視図である。
【符号の説明】
【００２５】
Ｕ    浴室ユニット
１    床パン
１１  浴槽設置部
１２  洗い場部
２    浴槽
２１  フランジ部
２２  エプロン
３    壁パネル
３１  貫通口
４    天井パネル
４０  開口部
５    支持枠
５０  枠材
６    補強材
７    機器
７０  ケーシング
７０ａ  本体箱部
７１  排水管
７２  排水管
７３  バンド
８    ガイド部材
８０  連設片
８１  ピン孔
８１ａ  ピン
８２  固着孔
８３  連設片
８４  固着具
【図１】
2009203649.tif 000003
【図２】
2009203649.tif 000004